(57)【要約】      （修正有）【課題】回路から得られる電源を基準電流源として利用することにより狂いのない基準電流源が得られ、簡易な回路で構成し、ループコイルを介してクランプ漏電計のクランプコアにより電磁的に合成することにより、軽量・安価・堅牢で狂いの少ない測定器を提供する。【解決手段】現場に必ず存在する電源を基準要素として採用し、市販のクランプ漏電計をそのまま利用して測定し、ループコイルを介して被測定電流と合成するという簡便な回路を採用することにより当初目標とした小型、軽量、安価で堅牢な現場測定器という課題を解決した。【選択図】図３
0003125751.tif 000002
【実用新案登録請求の範囲】
【請求項１】
３相３線式１相接地動力回路の漏電探査に一般のクランプ漏電計（Ｉｏ漏電計）と同時使用し、装置内部で回路の対地静電容量に起因する電流（Ｉｃ）と逆位相の電流を発生させループコイルに流すことにより漏電計のクランプコアで合成し、被測定回路の見かけ上の漏洩電流（Ｉｏ）から真の実効値電流（Ｉｇｒ）成分を抽出する漏電計補助装置。
【考案の詳細な説明】
【技術分野】
【０００１】  本装置はクランプ漏電計の対地静電容量による電流（Ｉｃ）の影響を簡易にキャンセルし、真の漏洩電流（Ｉｇｒ）を得ることを目的に考案した現場測定用のクランプ漏電計用補助装置である。（Ｉｃ）をキャンセルする同位相の電流源を探した所３相３線１線接地式動力回路の非接地相間（一般にＲ相−Ｔ相）の相間電圧の位相が一致することを見つけた。（図１）Ｒ−Ｓ間の電圧Ｖｒｓ、Ｔ−Ｓ間の電圧Ｖｔｓの位相差はＶｓｔがＶｒｓより進み６０°（ＶｒｓとＶｓｔの位相差はＶｓｔがＶｒｓの遅れ１２０°であるがＶｔｓはＶｓｔと逆位相のため１２０−１８０＝−６０°と進み６０°）従ってＶｒｓ、Ｖｔｓの合成電圧ＶｓｏはＶｒｓより３０°進みとなる。対地静電容量によって接地線に流れる電流ＩｃはＶｓｏより９０°進みのためＶｒｓとの位相差は進み１２０°となる。（−３０−９０＝−１２０°）これは丁度Ｖｔｒの位相と一致する。そこでＴ相−Ｒ相間の電圧Ｖｔｒを本装置に取り入れ変圧器で降圧の上可変抵抗で分圧することにより同位相の可変電流源を作り装置本体に接続したループコイルに流すことでＩｃと同位相、逆位相の電流を得られる。  被測定回路とこのループコイルをクランプ漏電計のクランプコアに一緒に挟み込んで合成し、クランプ漏電計の振れが最小になる位置を可変抵抗器操作によって求める。振れが最小になった位置の電流計読みが求める真の漏洩電流Ｉｇｒである。
（図２）ベクトル図からＩｃ＝Ｉｒｔの場合にクランプ漏電計の読みは最小になりその値はＩｇｒに一致する。
【背景技術】
【０００２】  従来より本格的測定器としてベクトル乗算解析法を使用した  Ｉｇｒ測定器が市販されている。
【考案が解決しようとする課題】
【０００３】  従来のＩｇｒ測定器は高度なベクトル解析法を使用しているため装置が大型・高価であり気軽に使用する現場測定器には向かない。
【課題を解決するための手段】
【０００４】  そこで本考案では手軽に得られるＴ相−Ｒ相間の相間電圧Ｖｔｒを基準電流源として使用し、ループコイルを介してＩｃと逆相の電流を供給し、市販のクランプ電流計で測定する見かけの漏洩電流ＩｏとＩｃ逆位相の電流をクランプコアで合成させて、Ｉｃ成分を相殺し、Ｉｇｒを得ることにより軽量・安価で堅牢なＩｇｒ現場測定器を構成することが可能となる。
【考案の効果】
【０００５】  回路から得られる電源を基準電流源として利用することにより狂いのない基準電流源が得られ、簡易な回路で構成し、ループコイルを介してクランプ漏電計のクランプコアにより電磁的に合成することにより、軽量・安価・堅牢で狂いの少ない現場測定器を実現させた。
【考案を実施するための最良の形態】
【０００６】  本装置は基本回路図（図３）に示すとおり回路のＴ相−Ｒ相間の電圧を取り入れ可変出力の基準電流を作成する電源箱部とそれを市販のクランプ漏電計のクランプコアと結合させるループコイルから構成される。
【産業場の利用可能性】
本装置単体では単なる補助装置であるがクランプ漏電計製造メーカーであらかじめループコイルをクランプ漏電計内部に組み込んでおき本装置の電源部をオプション設定すればクランプ漏電計の付加価値を高めることが可能となる。
【図面の簡単な説明】
【０００７】
【図１】      電源回路Ｖｒｓ，Ｖｓｔ、Ｖｒｔと電流Ｉｃとのベクトル図
【図２】      Ｉｏ，Ｉｃ、ＩｇｒとＩｒｔとのベクトル図
【図３】      基本電気回路
【符号の説明】
【０００８】        Ｖｒｓ            ：ＲＳ間の電圧ベクトル
Ｖｓｔ            ：ＳＴ間の電圧ベクトル
Ｖｔｓ            ：ＴＳ間の電圧ベクトル
Ｖｔｒ            ：ＴＲ間の電圧ベクトル
Ｖｓｏ            ：ＲＳ，ＴＳの合成ベクトル
Ｉｃ              ：対地静電容量による電流ベクトル
Ｉｏ              ：クランプ電流計に現れる見かけの漏洩電流ベクトル
Ｉｒｔ            ：考案装置で発生させたＩｃキャンセル電流のベクトル
Ｉｇｒ            ：真の漏洩電流ベクトル
Ｒ                ：Ｒ相の電源
Ｔ                ：Ｔ相の電源
ＴＲ              ：変圧器
ＶＲ              ：可変抵抗器
Ｒ                ：固定抵抗器
ＳＷ              ：電源兼極性変換用スイッチ
ＲＣ              ：ループコイル
電源箱            ：ループコール以外の電気回路を納めた箱
被測定接地線      ：被測定回路の接地線
クランプコア      ：クランプ漏電計のクランプコア
【図１】
0003125751.tif 000003
【図２】
0003125751.tif 000004
【図３】
0003125751.tif 000005
【手続補正書】
【提出日】平成18年3月31日(2006.3.31)
【手続補正１】
【補正対象書類名】実用新案登録請求の範囲
【補正対象項目名】全文
【補正方法】変更
【補正の内容】
【実用新案登録請求の範囲】
【請求項１】
３相３線式１線接地動力回路では１線を接地することにより接地相（Ｓ相）の対地静電容量が接地線により短絡され、非接地の２相（Ｒ相、Ｔ相）は対地静電容量がそのまま残るのことになる。その結果全く漏電のない回路でも不平衡な対地静電容量による進み電流が接地線に流れている。
一方近年電子回路を内蔵する機器が広く普及し、回路を停電しての漏電探査が難しくなったのでクランプ電流計による無停電漏電探査が必要となって来た。一般のクランプ漏電計（Ｉｏ漏電計）では接地線に流れる真の漏洩電流（Ｉｇｒ）とこの対地静電容量による進み電流（Ｉｃ）のベクトル合成値の絶対値（Ｉｏ）を表示するので（Ｉｃ）成分が誤差となってしまう。この問題を解決するために接地線電流（Ｉｏ）をクランプセンサーで取り入れ、電圧入力回路から取り入れた回路電圧と合わせてベクトル乗算解析法により演算して（Ｉｇｒ）を求める（Ｉｇｒ測定器）が市販されている。
本考案は複雑、高価な（Ｉｇｒ測定器）を使用する代わりに、比較的小型、安価な一般市販のクランプ漏電計（Ｉｏ漏電計）を使用して真の漏洩電流を測定する為に使用する付加装置である。回路要点はクランプ漏電計のクランプコアに複数導体を同時にクランプした場合クランプ漏電計は各導体に流れる電流のベクトル和の絶対値を指示するという特性を生かして被測定回路の電線と同時にクランプしたループコイルから誤差電流（Ｉｃ）と逆位相、同レベルの電流（Ｉｒｔ）を送り込みベクトル和の絶対値から（Ｉｇｒ）を求める。
−−−−［図２］ベクトル図  参照。
ここで（Ｉｃ）＝（Ｉｒｔ）の判定はクランプ漏電計の振れが最小となる点を取ることで可能となる。本考案の構成は動力回路の非接地相・Ｒ相−Ｔ相間の電圧を同位相又は逆位相の可変出力電流に変換する変圧器、可変抵抗器、切替スイッチとその電流をクランプ漏電計のトランスコアに送り込むループコイルから成る。誤差電流（Ｉｃ）と電流（Ｉｒｔ）が１８０°ずれの逆位相で有ることは［図１］のベクトル図で証明出来る。一般に３相交流の位相関係を表すとＲＳ間の電圧（Ｖｒｓ）から１２０°遅れてＳＴ間の電圧（Ｖｓｔ）が、更に１２０°遅れてＴＲ間の電圧（Ｖｔｒ）が有る。ここでＳ相が接地されているのでＲ相の対地電位は（Ｖｒｓ）、Ｔ相の対地電位は（Ｖｓｔ）では無く逆位相の（Ｖｔｓ）となる。Ｓ相は接地されているので対地電位は０ＶとなりＲ相、Ｔ相の合成対地電位は［図１］のＶｓｏとなる。ここで（Ｖｔｓ）と（Ｖｒｓ）の位相差は（Ｖｓｔ）が（Ｖｒｓ）の１２０°遅れ、（Ｖｔｓ）は（Ｖｓｔ）の逆位相で１８０°ずれだから差し引き（Ｖｒｓ）進み６０°進みが（Ｖｔｓ）となり（Ｖｓｏ）の位相は（Ｖｒｓ）の３０°進みとなる。従って合成対地電位（Ｖｓｏ）によって接地線に流れる誤差電流（Ｉｃ）はこの（Ｖｓｏ）の９０°進みとなる。従って（Ｖｒｓ）の位相を基準に考えると（Ｖｒｓ）進み３０°が（Ｖｓｏ）で（Ｉｏ）は（Ｖｓｏ）から９０°進みなので（Ｖｒｓ）進み１２０°が（Ｉｃ）となる。
この位相は丁度（Ｖｔｒ）の位相と一致する。従って（Ｖｒｔ）の電圧を変圧器で降圧、可変抵抗器で分圧、電流変換し、逆位相の場合は反転スイッチで逆転し、クランプ漏電計の振れを最小にすれば（Ｉｃ）は（Ｉｒｔ）で打ち消されて、真の漏洩電流（Ｉｇｒ）は求められる。
以上まとめて請求項はクランプ漏電計で３相３線１線接地回路の漏電探査をする場合の誤差を防止するために使用する付加装置。回路の非接地相の電圧を基準として変圧器で降圧し同位相の可変出力電流に変換する可変抵抗、位相を反転するスイッチ、クランプ漏電計のクランプコアに挟み込んで合成するループコイルから成る回路。
【手続補正書】
【提出日】平成18年6月29日(2006.6.29)
【手続補正１】
【補正対象書類名】実用新案登録請求の範囲
【補正対象項目名】全文
【補正方法】変更
【補正の内容】
【実用新案登録請求の範囲】
【請求項１】
３相３線１線接地回路の非接地相の電圧を取り込んで接続又は反転接続するＳＷ、変圧器ＴＲ、分圧電流変換する可変抵抗ＶＲ及びこの電流をクランプ漏電計のクランプコアに送り込むループコイルＲＣから構成される漏電計補助装置。